(57)【要約】      （修正有）【課題】取水口へのゴミの侵入を効果的に防止する溜池の取水装置を提供する。【解決手段】溜池の傾斜面３に配置され長さ方向一端側を溜池の上側にした斜樋管５と、斜樋管５の長さ方向に間隔を置いて複数配置され溜池側に開口する取水口２６と、取水口２６にそれぞれ設けられ該取水口２６を開閉する開閉ゲート３１と、開閉ゲート３１を長さ方向にスライドして取水口２６を開閉する開閉ロッド７と、開閉ロッド７の長さ方向一端側に設けられ該開閉ロッド７を長さ方向にスライド操作して取水口２６を開閉する開閉操作部と、傾斜面３に沿って長さ方向に設けられ取水口２６、開閉ゲート３１及び開閉ロッド７の一部を収納する収納凹部１３と、収納凹部１３の溜池側開口部１４に設けられ複数の取水口２６を覆うスクリーン６とを備える。また、１本の開閉ロッド７により複数の開閉ゲート３１を開閉することができ、非常放流に対応可能となる。【選択図】図１
0003219345.tif 000002
【実用新案登録請求の範囲】
【請求項１】
溜池の傾斜面に配置され長さ方向一端側を溜池の上側にした斜樋管と、
前記傾斜面に埋設され前記斜樋管の水を放水する放水管と、
前記斜樋管の長さ方向に間隔を置いて複数配置され前記溜池側に開口する取水口と、
前記取水口にそれぞれ設けられ該取水口を開閉する開閉ゲートと、
前記開閉ゲートを前記長さ方向にスライドして前記取水口を開閉する開閉ロッドと、
前記開閉ロッドの前記長さ方向一端側に設けられ該開閉ロッドを長さ方向にスライド操作して前記取水口を開閉する開閉操作部と、
前記傾斜面に沿って前記長さ方向に設けられ前記取水口，前記開閉ゲート及び前記開閉ロッドの一部を収納する収納凹部と、
前記収納凹部の溜池側開口部に設けられ複数の前記取水口を覆うスクリーンとを備えることを特徴とする溜池の取水装置。
【請求項２】
前記開閉ゲートにゲート操作部を設け、前記複数の開閉ゲートの前記ゲート操作部に１本の前記開閉ロッドを挿通し、前記ゲート操作部を挟んで前記開閉ロッドの長さ方向一端側と長さ方向他端側に閉成用ストッパーと開成用ストッパーを設けると共に、前記閉成用ストッパーと前記開成用ストッパーは前記ゲート操作部の一端側と他端側に当接可能に設けられ、前記開閉ゲートが前記取水口を閉めた閉成位置で前記閉成用ストッパーが前記ゲート操作部の一端側に当接し、前記開閉ゲートの前記閉成位置で、他端側の前記開閉ゲートの前記ゲート操作部と前記開成用ストッパーとの間隔が、前記他端側の前記開閉ゲートに隣り合う一端側の前記開閉ゲートの前記ゲート操作部と前記開成用ストッパーとの間隔に比べて広く設定され、前記開閉ロッドの長さ方向一端側へのスライドにより一端側の前記開閉ゲートから順次開成するように構成したことを特徴とする請求項１記載の溜池の取水装置。
【請求項３】
前記開閉操作部は、溜池の水圧の加わった複数の前記開閉ゲートを手動ハンドルの回転操作により開閉可能に構成したことを特徴とする請求項１又は２記載の溜池の取水装置。
【請求項４】
前記スクリーンは前記長さ方向に分割した複数の分割スクリーンを備え、
前記分割スクリーンを前記収納凹部の前記溜池側開口部に着脱可能に設けたことを特徴とする請求項１〜３のいずれか１項に記載の溜池の取水装置。
【請求項５】
前記スクリーンは前記長さ方向に分割した複数の分割スクリーンを備え、
前記分割スクリーンを前記収納凹部側に回動可能に連結すると共に、該分割スクリーンを回動して前記収納凹部の前記溜池側開口部を開閉可能に構成したことを特徴とする請求項１〜３のいずれか１項に記載の溜池の取水装置。
【請求項６】
前記収納凹部の幅方向他側に、前記長さ方向の階段を設け、
前記分割スクリーンの幅方向一側を、前記収納凹部の幅方向一側に回動可能に連結し、
前記分割スクリーンは、前記収納凹部の前記溜池側開口部を塞ぐ閉塞位置と、該分割スクリーンの上面を前記収納凹部の幅方向一側に反転した開成位置との間で回動可能に設けられていることを特徴とする請求項５記載の溜池の取水装置。
【請求項７】
前記分割スクリーンは、相互に間隔を置いて配置した複数の横バーと、これら複数の横バーに交差して設けられ相互に間隔を置いて配置した複数の縦バーとを備え、
前記スクリーンの前記長さ方向一端側の上部には、該スクリーンと前記収納凹部の内面との間を覆う覆い部材を設け、この覆い部材に、前記開閉ロッドを挿通する挿通部を設けたことを特徴とする請求項６記載の溜池の取水装置。
【考案の詳細な説明】
【技術分野】
【０００１】
本考案は、溜池の取水装置に関する。
【背景技術】
【０００２】
従来、この種の取水装置として、それぞれ独立して開閉操作可能な取水ゲートを備えた複数の呑口（取水口に相当）が異なる高さに配設されて構成され、任意の呑口の取水ゲートを開閉操作することによって任意の位置から取水して取水管に導く取水装置（例えば特許文献１の図８）があり、この取水装置では、濁りがなく温まった表層からの選択取水を可能としている。
【０００３】
また、上端が開口せられ且つ下端が貯水池等の吐出導水管に接続された取水主管を貯水池の傾斜面に沿って配設し、取水本管には、上下方向に複数の取水枝管を、バルブゲートを介して配設し、各取水枝管の取水開口にはそれぞれスクリーンを配設した取水装置（例えば特許文献２）がある。
【０００４】
上記特許文献１の取水装置は、各呑口ごとに取水ゲートを開閉する駆動手段を設け、且つ駆動手段として油圧シリンダーやモータを用いているため、構造が複雑になると共に、駆動手段の動力源も必要になるという問題がある。
【０００５】
そして、近年の異常気象により、豪雨が頻繁に発生し、溜池における余水吐の設計洪水量を上回る洪水の発生が懸念されており、豪雨により流入量が増加して放水が間に合わないと、水が溢れ出すことが懸念され、これを防止するには、効率よく、全呑口を全開する必要がある。
【０００６】
一方、特許文献２の取水装置では、取水開口にそれぞれスクリーンを設けることにより、ゴミなどの侵入を防止することはできるが、スクリーンに溜まったゴミの除去作業が煩雑となる。
【０００７】
また、取水のために取水開口が露出して設けられているため、雪に埋まると、積雪荷重を受けることや積雪が傾斜面に沿って滑り落ちることにより、スクリーンやバルブゲート等が損傷する虞がある。
【０００８】
そして、上述したように洪水が発生すると、多くのゴミがスクリーンに付着することが予想され、洪水後のゴミ除去及び装置の点検が一層煩雑であった。
【先行技術文献】
【特許文献】
【０００９】
【特許文献１】特開平１１−１９３５２０号公報
【特許文献２】特開昭６０−１４４６３２号公報
【考案の概要】
【考案が解決しようとする課題】
【００１０】
そこで、本考案は、上記問題点を解決するものであり、取水口へのゴミの侵入を効果的に防止することができる溜池の取水装置を提供することを目的とし、加えて、複数の開閉ゲートを開閉操作部により人力で開閉することができ、非常放流に対応可能で、また、ゴミの除去作業が容易な溜池の取水装置を提供することを目的とする。
【課題を解決するための手段】
【００１１】
請求項１の考案は、溜池の傾斜面に配置され長さ方向一端側を溜池の上側にした斜樋管と、前記傾斜面に埋設され前記斜樋管の水を放水する放水管と、前記斜樋管の長さ方向に間隔を置いて複数配置され前記溜池側に開口する取水口と、前記取水口にそれぞれ設けられ該取水口を開閉する開閉ゲートと、前記開閉ゲートを前記長さ方向にスライドして前記取水口を開閉する開閉ロッドと、前記開閉ロッドの前記長さ方向一端側に設けられ該開閉ロッドを長さ方向にスライド操作して前記取水口を開閉する開閉操作部と、前記傾斜面に沿って前記長さ方向に設けられ前記取水口，前記開閉ゲート及び前記開閉ロッドの一部を収納する収納凹部と、前記収納凹部の溜池側開口部に設けられ複数の前記取水口を覆うスクリーンとを備えることを特徴とする。
【００１２】
請求項２の考案は、前記開閉ゲートにゲート操作部を設け、前記複数の開閉ゲートの前記ゲート操作部に１本の前記開閉ロッドを挿通し、前記ゲート操作部を挟んで前記開閉ロッドの長さ方向一端側と長さ方向他端側に閉成用ストッパーと開成用ストッパーを設けると共に、前記閉成用ストッパーと前記開成用ストッパーは前記ゲート操作部の一端側と他端側に当接可能に設けられ、前記開閉ゲートが前記取水口を閉めた閉成位置で前記閉成用ストッパーが前記ゲート操作部の一端側に当接し、前記開閉ゲートの前記閉成位置で、他端側の前記開閉ゲートの前記ゲート操作部と前記開成用ストッパーとの間隔が、前記他端側の前記開閉ゲートに隣り合う一端側の前記開閉ゲートの前記ゲート操作部と前記開成用ストッパーとの間隔に比べて広く設定され、前記開閉ロッドの長さ方向一端側へのスライドにより一端側の前記開閉ゲートから順次開成するように構成したことを特徴とする。
【００１３】
請求項３の考案は、前記開閉操作部は、溜池の水圧の加わった複数の前記開閉ゲートを手動ハンドルの回転操作により開閉可能に構成したことを特徴とする。
【００１４】
請求項４の考案は、前記スクリーンは前記長さ方向に分割した複数の分割スクリーンを備え、前記分割スクリーンを前記収納凹部の前記溜池側開口部に着脱可能に設けたことを特徴とする。
【００１５】
請求項５の考案は、前記スクリーンは前記長さ方向に分割した複数の分割スクリーンを備え、前記分割スクリーンを前記収納凹部側に回動可能に連結すると共に、該分割スクリーンを回動して前記収納凹部の前記溜池側開口部を開閉可能に構成したことを特徴とする。
【００１６】
請求項６の考案は、前記収納凹部の幅方向他側に、前記長さ方向の階段を設け、前記分割スクリーンの幅方向一側を、前記収納凹部の幅方向一側に回動可能に連結し、前記分割スクリーンは、前記収納凹部の前記溜池側開口部を塞ぐ閉塞位置と、該分割スクリーンの上面を前記収納凹部の幅方向一側に反転した開成位置との間で回動可能に設けられていることを特徴とする。
【００１７】
請求項７の考案は、前記分割スクリーンは、相互に間隔を置いて配置した複数の横バーと、これら複数の横バーに交差して設けられ相互に間隔を置いて配置した複数の縦バーとを備え、前記スクリーンの前記長さ方向一端側の上部には、該スクリーンと前記収納凹部の内面との間を覆う覆い部材を設け、この覆い部材に、前記開閉ロッドを挿通する挿通部を設けたことを特徴とする。
【考案の効果】
【００１８】
請求項１の構成によれば、開閉操作部を操作し、開閉ロッドを上昇せしめて、複数の取水口を開き、溜池の水を放水管に放水する。この際、複数の取水口は収納凹部に収納されており、この収納凹部の溜池側開口部にスクリーンを設けたため、取水口の目詰まりが防止され、ゴミの除去も容易に行うことができる。しかも、雪が降っても、雪はスクリーンに積もり、積雪荷重が開閉ゲートなどに直接加わることが無いと共に、積雪が収納凹部に沿って滑り落ちることがないため、収納凹部内の取水口，開閉ゲート及び開閉ロッドの損傷を防止できる。
【００１９】
請求項２の構成によれば、全ての開閉ゲートが閉成した状態で、開閉操作部を操作して開閉ロッドを長さ方向一側にスライドすると、一端側の開閉ゲートからゲート操作部に開成用ストッパーが当接して開き、順次他端側の開閉ゲートが開成する。また、全ての開閉ゲートが開成した状態で、開閉操作部を操作して開閉ロッドを長さ方向他側にスライドすると、一端側の開閉ゲートから順次ゲート操作部に閉成用ストッパーが当接して開閉ゲートが他側に移動し、全ての開閉ゲートが同時に閉成する。このようにゲート操作部とストッパーとの組み合わせにより、取水口を開閉操作することができ、１本の開閉ロッドの操作によって非常放流に対応することができる。
【００２０】
請求項３の構成によれば、洪水の発生が予想される場合などには、人力で手動ハンドルを回転操作し、１本の開閉ロッドにより、溜池の水圧が加わった複数の開閉ゲートを開閉することができ、非常放流に対応可能となる。
【００２１】
請求項４の構成によれば、収納凹部から分割スクリーンを取り外し、該分割スクリーンに付着したゴミを取り、スクリーンを外した状態で、収納凹部内のゴミの除去作業及び開閉ロッドや開閉ゲートの点検を行うことができる。
【００２２】
請求項５の構成によれば、分割スクリーンを回動して収納凹部を開閉できるため、分割スクリーンからのゴミの除去や、収納凹部内のゴミの除去及び開閉ロッドや開閉ゲートの点検を一層簡便に行うことができ、しかも、分割スクリーンを持ち上げて外す場合に比べて、分割スクリーンを回動して開閉することにより簡便に収納凹部の溜池側開口部の開閉を行うことができる。
【００２３】
請求項６の構成によれば、分割スクリーンを階段と反対の開成位置に開き、収納凹部内のゴミの除去及び開閉ロッドや開閉ゲートの点検することができる。
【００２４】
請求項７の構成によれば、覆い部材により上部からの収納凹部内への雪などの侵入を防止することができ、積雪による損傷を防止できる。また、分割スクリーンが複数の横バーと縦バーとを有するから、取っ手などの出っ張りを設ける必要がなく、間隔を置いて配置した横バー又は縦バーに器具を引っ掛けて分割スクリーンを開くことができる。
【図面の簡単な説明】
【００２５】
【図１】本考案の実施例１を示す断面図である。
【図２】同上、拡大断面図である。
【図３】同上、平面図である。
【図４】同上、側面図である。
【図５】同上、側面説明図である。
【図６】同上、縞鋼板を外した状態の覆い部材の斜視図である。
【図７】本考案の実施例２を示す平面説明図である。
【図８】同上、断面説明図である。
【考案を実施するための形態】
【００２６】
本考案における好適な実施の形態について、添付図面を参照しながら詳細に説明する。
【実施例１】
【００２７】
以下、本考案の実施例を添付図面を参照して説明する。図１〜図６は本考案の実施例１を示す。同図に示すように、取水装置１は、溜池２の傾斜した堰堤たる傾斜面３の下方に埋設した放水管４と、前記傾斜面３に沿って設けられ前記放水管４に溜池２の水を流す斜樋管５などを備え、この斜樋管５はその長さ方向一端側を溜池２の上側にして配置される。尚、以下、長さ方向とは、特に断りのない場合、斜樋管５の長さ方向を意味する。
【００２８】
前記傾斜面３にはコンクリート製のベース部１１が設けられ、このベース部１１は、そのベース上面１２が前記傾斜面３と略面一に形成されている。また、前記ベース部１１内に前記斜樋管５が埋設されている。さらに、前記ベース部１１のベース上面１２の幅方向一側には、収納凹部１３が形成されており、この収納凹部１３の溜池側開口部１４は、該収納凹部１３の底部１５より幅広に形成され、その溜池側開口部１４の幅方向両側には、スクリーン６の幅方向両側の下部を載置する受け段部１６，１６が設けられている。また、前記ベース部１１の幅方向他側には、段差式の階段１７が設けられている。
【００２９】
図４に示すように、前記ベース部１１の他端側には、コンクリート製の取水ボックス２１が設けられ、この取水ボックス２１内に前記斜樋管５の下端部５Ｋが連通している。また、前記下端部５Ｋの下方において、前記取水ボックス２１内に前記放水管４の基端が連通している。さらに、取水ボックス２１の溜池側取水口２２には、昇降式の水門扉２３が設けられ、取水ボックス２１上には、前記水門扉２３の開閉手段２３Ａが設けられている。
【００３０】
前記斜樋管５には、該斜樋管５の長さ方向に間隔を置いて複数の取水管２５が突設され、この取水管２５の上端に、溜池２側に開口する取水口２６が設けられている。また、図３に示すように、各取水口２６にはそれぞれ案内板２７が設けられ、上側の取水口２６に設けられた案内板２７は、下側の取水口２６に設けられた案内板２７に比べて、長く形成されている。尚、前記取水管２５には、前記取水口２６の周囲に鍔部２８を設け、この鍔部２８上に重ね合わせて前記案内板２７を取り付けることにより、案内板２７が前記収納凹部１３の底部１５に固定されている。また、前記案内板２７には前記取水口２６に対応して透孔２９が穿設されている。
【００３１】
前記案内板２７上には、前記取水口２６を開閉する板状の開閉ゲート３１が配置され、この開閉ゲート３１の下面には、前記案内板２７に当接するパッキンなどの止水材３２が設けられ、前記開閉ゲート３１は前記案内板２７の上面に沿ってスライドする。また、前記開閉ゲート３１の上部に、一対の取付部材３３，３３を前記長さ方向に間隔を置いて突設し、それら一対の取付部材３３，３３間に前記長さ方向の操作スリーブ３４を設けている。そして、前記取付部材３３，３３と前記操作スリーブ３４により、前記開閉ゲート３１のゲート操作部３１Ａを構成している。
【００３２】
各開閉ゲート３１，３１・・・の前記ゲート操作部３１Ａ，３１Ａ・・・には、１本の開閉ロッド７が挿通され、この開閉ロッド７の長さ方向一端側には、該開閉ロッド７を長さ方向にスライド操作する開閉操作部８が設けられ、この開閉操作部８は前記ベース部１１に固定されている。
【００３３】
前記開閉操作部８は、前記開閉ロッド７を挿通する筒体３５と、手動ハンドル３６と、この手動ハンドル３６の回転を前記開閉ロッド７の昇降に変換する変換手段３７と、この変換手段３７に設けられた減速ギア装置３８とを備える。この減速ギア装置３８は、前記手動ハンドル３６により得られる回転数を減じて、開閉ロッド７を昇降するための力を増加する装置である。
【００３４】
図５などに示すように、前記開閉ロッド７には、各開閉ゲート３１，３１・・・に対応して、開成用ストッパー４１と閉成用ストッパー４２とがそれぞれ外装状態で固定されている。前記開閉ゲート３１が取水口２６を閉めた閉成位置で、前記閉成用ストッパー４２は前記ゲート操作部３１Ａの一端側に当接する。一方、開閉ゲート３１の前記閉成位置で、開成用ストッパー４１とゲート操作部３１Ａとの間隔Ｋは、下側の開閉ゲート３１が上側の開閉ゲート３１に比べて広く設定されている。また、最上部の開閉ゲート３１においては、前記ゲート操作部３１Ａの両側に開成用ストッパー４１と閉成用ストッパー４２が当接している。
【００３５】
従って、図３〜図５のように全ての取水口２６が閉成している位置から、手動ハンドル３６を回転して開閉ロッド７を上昇せしめると、ゲート操作部３１Ａと開成用ストッパー４１との当接により、上側（開閉ゲート３１の長さ方向の一端側）の開閉ゲート３１から順次開成し、最後に最下部の開閉ゲート３１が開成する。そして、全ての取水口２６，２６・・・を開成したり、放水管４の容量に対応して上側から必要な複数個の取水口２６，２６・・・を開成したりすることにより、豪雨などにおいて、一度に多量の水を放水することができ、非常放流に対応することができる。特に、開閉操作部８は、減速ギア装置３８などの減速機により小さな力で開閉ロッド７を昇降することができるため、水中に没して水圧が加わった複数の開閉ゲート３１を手動で開くことができる。
【００３６】
一方、手動ハンドル３６を逆方向に回転して開閉ロッド７を降下せしめると、ゲート操作部３１Ａと閉成用ストッパー４２の当接により、全ての開閉ゲート３１を閉成することができる。この場合、上側の開閉ゲート３１から順次そのゲート操作部３１Ａに閉成用ストッパー４２が当接して開閉ゲート３１が降下し、最後に最下部の開閉ゲート３１のゲート操作部３１Ａに閉成用ストッパー４２が当接し、全ての取水口２６を開閉ゲート３１により同時に閉じることができる。このように開閉ゲート３１を閉める際は、溜池２の水位が下がっているため、手動ハンドル３６の操作も比較的容易に行うことができる。
【００３７】
尚、図２などに示すように、前記案内板２７の幅方向両側には、前記開閉ゲート３１の浮き上がりを防止する押え部材４５，４５が設けられ、これら押え部材４５，４５は、略Ｌ型をなし、案内板２７に固定されている。そして、前記開閉ゲート３１は、前記案内板２７と押え部材４５との間に挟まれて、前記案内板２７の長さ方向にスライドする。
【００３８】
前記スクリーン６は、金属製であって、例えばステンレス製であり、図３に示すように、前記長さ方向に分割した複数の分割スクリーン５１，５１・・・を備え、この例では分割スクリーン５１はグレーチングからなる。その分割スクリーン５１は、周囲の外枠部５２と、この外枠部５２内に配置され、長さ方向に間隔を置いて複数配置された横バー５３と、前記外枠部５２内に配置され幅方向に間隔を置いて複数配置された縦バー５４とを備える（図２）。尚、スクリーン６の下部側の２枚の分割スクリーン５１Ａ，５１Ａは略水平に配置されている。
【００３９】
また、前記分割スクリーン５１の幅方向一側には、蝶番などのヒンジ部５６が設けられ、このヒンジ部５６は、一側片５６Ａと他側片５６Ｂを枢着部５６Ｃにより回動可能に連結し、一側片５６Ａを分割スクリーン５１の上面に固定すると共に、他側片５６Ｂを前記収納凹部１３の幅方向一側のベース上面１２に固定してなり、前記分割スクリーン５１を、前記収納凹部１３の溜池側開口部１４を塞ぐ閉塞位置と、該分割スクリーン５１の上面側を前記収納凹部１３の幅方向一側のベース上面１２に載置する開成位置との間で回動することができる。尚、ヒンジ部５６は１枚の分割スクリーン５１に２つ設けられている。
【００４０】
図４に示すように、前記収納凹部１３には、最上部の開閉ゲート３１の上部に、覆い部材たる覆い板６１が設けられ、この覆い板６１は、最上部の分割スクリーン５１と収納凹部１３の内面との間を塞ぐものであって、略水平に配置されている。尚、この例では、前記覆い板６１は、収納凹部１３に固定されているが、収納凹部１３に着脱可能に設けてもよい。また、前記覆い板６１には、前記開閉ロッド７を挿通する挿通部たる挿通孔６２が穿設されている。そして、覆い板６１は、スクリーン６の前記長さ方向一端側の上部６１Ｊに配置される。尚、この例では、挿通孔６２は、覆い板６１の前記底部１５側が開口する略Ｕ字状に形成されているが、閉塞した円形でもよい。
【００４１】
このように収納凹部１３内の前記取水口２６，前記開閉ゲート３１及び前記開閉ロッド７の一部が、スクリーン６及び覆い板６１により覆われているから、積雪時に開閉ゲート３１や案内板２７などの損傷を防止することができる。尚、覆い板６１の上部において、前記収納凹部１３の溜池側開口部１４には、複数（３枚）の縞鋼板６５が着脱可能に設けられている。
【００４２】
次に、前記取水装置１の使用方法について説明する。豪雨などにより余水吐の設計洪水量を上回る洪水の発生が予想される場合などには、手動ハンドル３６を回転して開閉ロッド７を上昇し、全ての取水口２６を開く。この場合、開閉操作部８には、手動ハンドル３６の回転を減速して開閉ロッド７を昇降する力を大きくする減速ギア装置３８が設けられているため、１本の開閉ロッド７により、溜池２の水圧が加わった複数の開閉ゲート３１を人力で開閉することができる。
【００４３】
また、従来のように取水口毎にスクリーンを設けたものでは、スクリーンが目詰まりを起こすと、放水ができなくなる場合があるが、本実施例の取水装置１では、全て又は複数の取水口２６を開いて一度に大量の水を排出し、スクリーン６に部分的に目詰まりを起こしても、ゴミはスクリーン６の現在の水面付近の位置に集まるから、目詰まりした部分のスクリーン６の下の収納凹部１３内を流れて取水口２６から水を放水することができ、取水時にゴミを除去する必要が無い。
【００４４】
この場合、分割スクリーン５１をヒンジ部５６により回動可能に設けると共に、分割スクリーン５１がグレーチングであるから、溜池２中で水垢等が付着した分割スクリーン５１を、グレーチングの隙間に器具などを入れて簡便に開閉することができる。
【００４５】
さらに、収納凹部１３の上部に覆い板６１を設けたから、収納凹部１３内への上部からのゴミの侵入を防止でき、収納凹部１３内への雪の侵入を防止できる。
【００４６】
一方、取水装置１に溜まったゴミを除去する際には、分割スクリーン５１からゴミを除去し、必要に応じて回動し、分割スクリーン５１を立てて、分割スクリーン５１のゴミを収納凹部１３の外部に落とすようにして除去することができる。また、分割スクリーン５１を開いて溜池側開口部１４を全開することにより、収納凹部１３内のゴミも簡便に除去することができる。
【００４７】
このように本実施例では、請求項１に対応して、溜池２の傾斜面３に配置され長さ方向一端側を溜池２の上側にした斜樋管５と、傾斜面３に埋設され斜樋管５の水を放水する放水管４と、斜樋管５の長さ方向に間隔を置いて複数配置され溜池２側に開口する取水口２６と、取水口２６にそれぞれ設けられ該取水口２６を開閉する開閉ゲート３１と、開閉ゲート３１を前記長さ方向にスライドして取水口２６を開閉する開閉ロッド７と、開閉ロッド７の前記長さ方向一端側に設けられ該開閉ロッド７を長さ方向にスライド操作して取水口２６を開閉する開閉操作部８と、傾斜面３に沿って前記長さ方向に設けられ取水口２６，開閉ゲート３１及び開閉ロッド７の一部を収納する収納凹部１３と、収納凹部１３の溜池側開口部１４に設けられ複数の取水口２６を覆うスクリーン６とを備えるから、開閉操作部８を操作し、開閉ロッド７を上昇せしめて、複数の取水口２６を開き、溜池２の水を放水管４に放水する。この際、複数の取水口２６は収納凹部１３に収納されており、この収納凹部１３の溜池側開口部１４にスクリーン６を設けたため、取水口２６の目詰まりが防止され、ゴミの除去も容易に行うことができる。しかも、雪が降っても、雪はスクリーン６に積もり、積雪荷重が開閉ゲート３１などに直接加わることが無いと共に、積雪が収納凹部１３に沿って滑り落ちることがないため、収納凹部１３内の取水口２６，開閉ゲート３１及び開閉ロッド７の損傷を防止できる。
【００４８】
このように本実施例では、請求項２に対応して、開閉ゲート３１にゲート操作部３１Ａを設け、複数の開閉ゲート３１，３１・・・のゲート操作部３１Ａ，３１Ａ・・・に１本の開閉ロッド７を挿通し、ゲート操作部３１Ａを挟んで開閉ロッド７の長さ方向一端側と長さ方向他端側に閉成用ストッパー４２と開成用ストッパー４１を設けると共に、閉成用ストッパー４２と開成用ストッパー４１はゲート操作部３１Ａの一端側と他端側に当接可能に設けられ、開閉ゲート３１が取水口２６を閉めた閉成位置で閉成用ストッパー４２がゲート操作部３１Ａの一端側に当接し、開閉ゲート３１の前記閉成位置で、他端側の開閉ゲート３１のゲート操作部３１Ａと開成用ストッパー４１との間隔Ｋが、前記他端側の開閉ゲート３１に隣り合う一端側の開閉ゲート３１のゲート操作部３１Ａと開成用ストッパー４１との間隔Ｋに比べて広く設定され、開閉ロッド７１の長さ方向一端側へのスライドにより一端側の開閉ゲート３１から順次開成するように構成したから、全ての開閉ゲート３１が閉成した状態で、開閉操作部８を操作して開閉ロッド７を長さ方向一側にスライドすると、一端側の開閉ゲート３１からゲート操作部３１Ａに開成用ストッパー４１が当接して開き、順次他端側の開閉ゲート３１が開成する。また、全ての開閉ゲート３１が開成した状態で、開閉操作部８を操作して開閉ロッド７を長さ方向他側にスライドすると、一端側の開閉ゲート３１から順次ゲート操作部３１Ａに閉成用ストッパー４２が当接して開閉ゲート３１が他側に移動し、全ての開閉ゲート３１が同時に閉成する。このようにゲート操作部３１Ａとストッパー４１，４２との組み合わせにより、取水口２６を開閉操作することができ、１本の開閉ロッド７の操作によって非常放流にも対応可能となる。
【００４９】
このように本実施例では、請求項３に対応して、開閉操作部８は、溜池２の水圧の加わった複数の開閉ゲート３１を手動ハンドル３６の回転操作により開閉可能に構成したから、洪水の発生が予想される場合などには、人力で手動ハンドル３６を回転操作し、１本の開閉ロッド７により、溜池２の水圧が加わった複数の開閉ゲート３１を開閉することができる。
【００５０】
このように本実施例では、請求項４に対応して、スクリーン６は前記長さ方向に分割した複数の分割スクリーン５１を備え、分割スクリーン５１を収納凹部１３の溜池側開口部１４に着脱可能に設けたから、収納凹部１３から分割スクリーン５１を取り外し、該分割スクリーン５１に付着したゴミを取り、分割スクリーン５１を外した状態で、収納凹部１３内のゴミの除去作業及び開閉ロッド７や開閉ゲート３１の点検を行うことができる。
【００５１】
このように本実施例では、請求項５に対応して、スクリーン６は前記長さ方向に分割した複数の分割スクリーン５１を備え、分割スクリーン５１を収納凹部１３側に回動可能に連結すると共に、該分割スクリーン５１を回動して収納凹部１３の溜池側開口部１４を開閉可能に構成したから、分割スクリーン５１を回動して収納凹部１３を開閉できるため、分割スクリーン５１からのゴミの除去や、収納凹部１３内のゴミの除去及び開閉ロッド７や開閉ゲート３１の点検を一層簡便に行うことができ、しかも、分割スクリーン５１を持ち上げて外す場合に比べて、分割スクリーン５１を回動して開閉することにより簡便に収納凹部１３の溜池側開口部１４の開閉を行うことができる。
【００５２】
このように本実施例では、請求項６に対応して、収納凹部１３の幅方向他側に、前記長さ方向の階段１７を設け、分割スクリーン５１の幅方向一側を、収納凹部１３の幅方向一側に回動可能に連結し、分割スクリーン５１は、収納凹部１３の溜池側開口部１４を塞ぐ閉塞位置と、該分割スクリーン５１の上面を収納凹部１３の幅方向一側に反転した開成位置との間で回動可能に設けられているから、分割スクリーン５１を階段１７と反対の開成位置に開き、収納凹部１３内のゴミの除去及び開閉ロッド７や開閉ゲート３１の点検することができる。
【００５３】
このように本実施例では、請求項７に対応して、分割スクリーン５１は、相互に間隔を置いて配置した複数の横バー５３と、これら複数の横バー５３に交差して設けられ相互に間隔を置いて配置した複数の縦バー５４とを備え、スクリーン６の前記長さ方向一端側の上部には、該スクリーン６と収納凹部１３の内面との間を覆う覆い部材たる覆い板６１を設け、この覆い板６１に、開閉ロッド７を挿通する挿通部たる挿通孔６２を設けたから、覆い板６１により上部からの収納凹部１３内への雪などの侵入を防止することができ、積雪による損傷を防止できる。また、分割スクリーン５１が複数の横バー５３と縦バー５４とを有するから、取っ手などの出っ張りを設ける必要がなく、間隔を置いて配置した横バー５３又は縦バー５４に器具を引っ掛けて分割スクリーン５１を開くことができる。
【００５４】
以下、実施例上の効果として、溜池２の傾斜面３に配置され長さ方向一端側を溜池２の上側にした斜樋管５と、傾斜面３に埋設され斜樋管５の水を放水する放水管４と、斜樋管５の長さ方向に間隔を置いて複数配置され溜池２側に開口する取水口２６と、取水口２６にそれぞれ設けられ該取水口２６を開閉する開閉ゲート３１と、開閉ゲート３１を前記長さ方向にスライドして取水口２６を開閉する開閉ロッド７と、開閉ロッド７の前記長さ方向一端側に設けられ該開閉ロッド７を長さ方向にスライド操作して取水口２６を開閉する開閉操作部８とを備え、開閉ゲート３１にゲート操作部３１Ａを設け、複数の開閉ゲート３１，３１・・・のゲート操作部３１Ａ，３１Ａ・・・に１本の開閉ロッド７を挿通し、ゲート操作部３１Ａを挟んで開閉ロッド７の長さ方向一端側と長さ方向他端側に閉成用ストッパー４２と開成用ストッパー４１を設けると共に、閉成用ストッパー４２と開成用ストッパー４１はゲート操作部３１Ａの一端側と他端側に当接可能に設けられ、開閉ゲート３１が取水口２６を閉めた閉成位置で閉成用ストッパー４２がゲート操作部３１Ａの一端側に当接し、開閉ゲート３１の前記閉成位置で、他端側の開閉ゲート３１のゲート操作部３１Ａと開成用ストッパー４１との間隔Ｋが、前記他端側の開閉ゲート３１に隣り合う一端側の開閉ゲート３１のゲート操作部３１Ａと開成用ストッパー４１との間隔Ｋに比べて広く設定され、開閉ロッド７１の長さ方向一端側へのスライドにより一端側の開閉ゲート３１から順次開成するように構成したから、ゲート操作部３１Ａとストッパー４１，４２との組み合わせにより、取水口２６を開閉操作することができ、１本の開閉ロッド７の操作によって非常放流にも対応可能となる。また、傾斜面３に沿って前記長さ方向に設けられ取水口２６，開閉ゲート３１及び開閉ロッド７の一部を収納する収納凹部１３と、収納凹部１３の溜池側開口部１４に設けられ複数の取水口２６を覆うスクリーン６とを備えことが好ましく、さらに、請求項３〜７の構成を採用することが好ましい。
【実施例２】
【００５５】
図７〜図８は本考案の実施例２を示し、上記実施例１と同一部分に同一符号を付し、その説明を省略して詳述すると、この例の取水装置１は、複数（３本）の開閉ロッド７Ｌ，７，７Ｒを前記収納凹部１３の幅方向に並設すると共に、各開閉ロッド７Ｌ，７，７Ｒにそれぞれ開閉操作部８，８，８を設けている。また、開閉ロッド７Ｌ，７，７Ｒには、それぞれ２つの取水口２６，２６を開閉するために、２つの開閉ゲート３１，３１が設けられ、これら２つの開閉ゲート３１，３１に対応して２つの案内板２７，２７が前記収納凹部１３に設けられている。尚、３本の開閉ロッド７Ｌ，７，７Ｒにより開閉する取水口２６，２６，２６は、前記長さ方向に異なる位置に配置されている。なお、この例では、前記覆い板６１には、３本の開閉ロッド７Ｌ，７，７Ｒに対応して３個の挿通孔６２，６２，６２がそれぞれ設けられている。
【００５６】
図８に示すように、前記斜樋管５には、前記取水管２５の前記幅方向両側に取水管２５Ｌ，２５Ｒを突設し、これら取水管２５Ｌ，２５，２５Ｒの取水口２６，２６，２６の位置が幅方向に並ぶように配置されている。
【００５７】
従って、取水口２６が全て閉じた状態で、開閉操作部８，８，８を操作して開閉ロッド７Ｌ，７，７Ｒを上昇せしめると、上側から取水口２６，２６が開き、取水口２６，２６・・・を全て開成したり、放水管４の容量に対応して上側から必要な複数個の取水口２６，２６・・・を開成したりすることにより、多量の放水が可能となり、非常放流に対応することができる。また、開閉操作部８，８，８を操作して開閉ロッド７Ｌ，７，７Ｒを降下せしめることにより、取水口２６，２６・・・を全て閉めることができる。
【００５８】
このように本実施例では、収納凹部１３の溜池側開口部１４に設けられ複数の取水口２６を覆うスクリーン６とを備え、また、傾斜面３に沿って前記長さ方向に設けられ取水口２６，開閉ゲート３１及び開閉ロッド７Ｌ，７，７Ｒの一部を収納する収納凹部１３と、開閉操作部８は、溜池２の水圧の加わった複数の開閉ゲート３１を手動ハンドル３６の回転操作により開閉可能に構成したから、全請求項に対応して、上記実施例１と同様な作用・効果を奏する。
【００５９】
尚、本考案は、本実施例に限定されるものではなく、本考案の要旨の範囲内で種々の変形実施が可能である。例えば、溜池は、灌漑用以外でも、上水道や・水力発電などの各種の水を溜める池でもよい。また、実施例では、開閉ロッドが１本と３本の例を示したが、開閉ロッドが２本又は４本以上のものでも良い。さらに、実施例では、分割スクリーンをヒンジ部により連結したが、ヒンジ部を設けなければ、分割スクリーンを溜池側開口部に着脱可能に設けることができる。また、実施例では、分割スクリーンをヒンジ部により左右一側に開閉するものを示したが、請求項５においては、分割スクリーンをヒンジ部により左右他側に開閉したり、分割スクリーンを上下方向に開閉したりするように構成してもよい。
【符号の説明】
【００６０】
１  取水装置
２  溜池
３  傾斜面
４  放水管
５  斜樋管
６  スクリーン
７  開閉ロッド
８  開閉操作部
１３  収納凹部
１４  溜池側開口部
１７  階段
２５  取水管
２６  取水口
３１  開閉ゲート
３１Ａ  ゲート操作部
３６  手動ハンドル
４１  開成用ストッパー
４２  閉成用ストッパー
５１  分割スクリーン
５２  外枠部
６１  覆い板（覆い部材）
６２  挿通孔（挿通部）
Ｋ  間隔
【図１】
0003219345.tif 000003
【図２】
0003219345.tif 000004
【図３】
0003219345.tif 000005
【図４】
0003219345.tif 000006
【図５】
0003219345.tif 000007
【図６】
0003219345.tif 000008
【図７】
0003219345.tif 000009
【図８】
0003219345.tif 000010